(57)【特許請求の範囲】
【請求項１】
泥漿を投入する沈殿槽の上部に回転軸を水平配置し、該回転軸に沈殿槽内の沈殿物を掬う複数のバケットを放射状に設けて成り、該バケットは上方を開口した箱型であってバケットの取付け基端側を構成する三方壁の上端縁を迫り上げ形成すると共に、バケット内部に水切網を設けて上下に仕切り、該水切網より上部を沈殿物の収容部と成すと共に、水切網より下部を分離水の落下部と成し、バケットの取付け基端に落下部の吐出口を開設すると共に、該吐出口は沈殿物を掬った上方のバケットからその下方のバケット内へ分離水が落下しない様に前記回転軸へ指向する様に延設したことを特徴とする沈殿物の脱水排出装置。
【請求項２】
収容部の側壁に開口部を設けると共に、該開口部を弾性を有する可撓膜で閉塞し、可撓膜の回転軌道上にして、且つ沈殿槽の水面の上方に可撓膜を殴打する振動付与装置を配置したことを特徴とする請求項１記載の沈殿物の脱水排出装置。
【請求項３】
可撓膜を外方凸面状に設けたことを特徴とする請求項２記載の沈殿物の脱水排出装置。
【発明の詳細な説明】
【０００１】
【発明の属する技術分野】
本発明は、沈殿槽内の沈殿物の脱水排出装置に関する。
【０００２】
【従来の技術】
従来、この種の脱水排出装置としては、泥漿が投入された沈殿槽の上部に回転軸を水平配置し、該回転軸に沈殿槽内の沈殿物を掬う複数のバケットを放射状に設け、バケット内部を水切網で上下に仕切ると共に、バケット内の水切網上部を真空引きする吸引手段を設けたものが見受けられる。
この装置は、沈殿槽内に沈下した沈殿物をバケットが掬って沈殿槽の水面上から離脱した直後に、先行するバケットの取付け基端である後壁に開口した吐水口から水切網で自然脱水された水分が被さるため、その後のバケットの移動により先行バケット同様に吐水口から自然放水しても、バケットが最上部の沈殿物排出位置へ達するまでの間に所望する含水率の沈殿物を得ることができないため、吐水口からの自然放水後、前記排出位置までの間に吸引手段により水切網上の沈殿物を真空吸引して脱水していた。
【０００３】
【発明が解決しようとする課題】
しかしながら、上記装置では、多数のバケット毎に真空吸引装置を装備せねばならないため、バケットの構造が複雑化して装置全体が大掛かりなものとなって、コストが高騰するという課題を有していた。
【０００４】
【課題を解決するための手段】
本発明は、上記従来技術に基づく、製造コストが高騰するという課題に鑑み、上方を開口した箱型のバケット内部を水切網で上下に仕切り、沈殿槽から掬った沈殿物をバケットが沈殿物排出位置へ移動する間に水切網によって脱水し、この分離水をバケットの取付け基端に開設すると共に、バケットを放射状に設けた回転軸へ指向する様に延設した吐出口から排水する様にして、分離水を下方のバケットに落下させず、水切網による自然脱水だけで所望範囲内の含水率を有する沈殿物を得る様にして、上記課題を解決する。
又、バケットの取付け基端側を構成する三方壁を迫り上げ形成することにより、バケットによる沈殿物掬い後、沈殿物排出位置へ移動中のバケットの上方傾斜状態でもバケットより沈殿物が落下しない様に、掬い上げた沈殿物をバケット内に確実に保持して漏れなく脱水する。
【０００５】
【発明の実施の形態】
以下、本発明の一実施例を図面に基づいて説明する。
図１〜３には、シューター１より投入された含砂泥漿が貯溜される沈殿槽２の上部に回転軸３を水平配置し、該回転軸３に沈殿槽２内の沈殿物Ｗを掬う複数のバケット４を放射状に設けた脱水排出装置５を示す。
回転軸３は、沈殿槽２外部に設置された駆動源６に適宜伝動手段を介して連繋されており、駆動源６によりバケット４を一方向に回転する様に設定している。又、回転軸３には、円板状の回転盤７の中心を固定すると共に、該回転盤７の外周に所定間隔を置いて突出状にバケット４を固定している。
【０００６】
バケット４は上方が開口された箱型に形成して成り、その開口部８を回転盤７の回転方向に対応させており、バケット４において回転盤７との取付け基端10側を構成する三方壁（左右側壁９、9a及び後部壁10）の上端縁を迫り上げ形成、即ちバケット４における左右側壁９、9aには、その上端縁の略中間部位から所定角度を以て後方（基端10）へ向かい上方傾斜させた三角状の延出部11を形成すると共に、該延出部11の頂部まで後部壁10を延出形成し、バケット４の略中間部から基端10（後部）へ向かうに従い徐々に深くしている。
【０００７】
バケット４内部は、所定メッシュの水切網12を設けて上下に仕切られ、水切網12より上部を沈殿物Ｗの収容部13と成し、水切網12より下部を分離水の落下部14と成している。
落下部14における分離水の吐出口15は、バケット４の取付け基端である後部壁10に開設されると共に、回転盤７の求心方向（回転軸３）へ指向する様に延設されており、吐出口15の後部壁10からの延出距離は、沈殿物Ｗを掬った上方のバケット４からその下方のバケット４内へ分離水が落下しない様に設定している。
又、バケット４において収容部13に対応した左側壁９には、円形状の開口部16を設けると共に、該開口部16を弾性を有する合成ゴム製の可撓膜17で水密状に閉塞しており、可撓膜17は外方凸面状に設け、その内側を収容部13の一部と成している。
【０００８】
可撓膜17の回転軌道上にして、且つ沈殿槽２の水面の上方には、可撓膜17を殴打する振動付与装置18を配置している。
振動付与装置18は、油圧又は空気圧式のシリンダー等を駆動源とし、そのロッドの先端に打撃部19を設けており、該打撃部19は可撓膜17に対し垂直方向に所定のストローク（収容部13内側へ可撓膜17を所定変位量押圧する）を以て進退動する様に設定すると共に、打撃部19正面に可撓膜17が位置した時に可撓膜17を複数回打撃する様に設定している。
【０００９】
次に脱水排出装置５の作用について説明する。
水を張った沈殿槽２にシューター１から含砂泥漿を投入すると、沈殿槽２内に砂（沈殿物）が沈殿する。
駆動源６を起動させて回転盤７を時計回りに回転させることにより、バケット４が右側から沈殿槽２中に没入し、沈殿槽２内の沈殿物Ｗを掬い上げ、該沈殿物Ｗを収容部13内に取り込んでバケット４が沈殿槽２の水面から離脱する。
収容部13内では、水切網12上の沈殿物Ｗが可撓膜17の凹んだ内側へも入り込んで満たされており、沈殿物Ｗ中の水分が水切網12を通して落下部14内に落下し、随時吐出口15から放水される。
吐出口15は後部壁10からの延出距離が上記の如く設定されているため、吐出口15からの放水は自然落下しても、後続のバケット４内に投下されることなく沈殿槽２内に還元される。
又、バケット４が水面から脱出した後において、打撃部19の正面に可撓膜17が位置した時には、打撃部19により可撓膜17が複数回殴打される。
即ち、可撓膜17の殴打された凸面が収容部13の内側へ凹む様に弾性変形し、打撃部19の後退時に可撓膜17が弾性復帰して後再度殴打され、かかる動作が複数回繰り返されて可撓膜17が振幅することにより、打撃部19の衝撃力が沈殿物Ｗに伝えられて振動し、沈殿物Ｗの土砂粒子が緻密となり沈殿物Ｗの水切りを促進する。
尚、打撃部19はバケット４の回転中、常に進退動しており、可撓膜17が打撃部19正面に位置する前後では、バケット４の左側壁９が殴打されており、この時の振動は若干収容部13内の沈殿物Ｗに伝わるが、可撓膜17が殴打された時に生ずる衝撃力の比ではない。
【００１０】
その後、バケット４が上方傾斜し、開口部８が垂直に近い状態となると、バケット４の取付け基端10側の三方壁９、9a、10が沈殿物Ｗを下方で受け止めることとなるが、三方壁９、9a、10の上端縁が迫り上っているため、バケット４内部から沈殿物Ｗがこぼれ落ちない。
そして、バケット４が回転盤７の最上部付近に到達すると、後部壁10が下方へ指向し傾斜角度が大きくなるため、収容部13内で脱水された沈殿物Ｗが外部へ落下する。
かかる沈殿物Ｗの落下位置に対応してホッパー20が配置されており、該ホッパー20の出口に配置されたコンベヤ（図示せず）で脱水沈殿物Ｗが移送される。
【００１１】
【発明の効果】
要するに本発明は、沈殿槽２の上部に水平配置した回転軸３に沈殿槽２内の沈殿物Ｗを掬う様に上方開口した複数の箱型バケット４を放射状に設け、該バケット４内部を水切網12で沈殿物Ｗの収容部13と分離水の落下部14とに上下に仕切ったので、収容部13に取り込んだ沈殿物Ｗ中の水分を水切網12を通して落下部14内に落下させて脱水できる。
又、バケット４の取付け基端10に開設した落下部14の吐出口15は沈殿物Ｗを掬った上方のバケット４からその下方のバケット４内へ分離水が落下しない様に前記回転軸３へ指向する様に延設したので、吐出口15は後続のバケット４の開口部８の直上よりも回転軸３側に存するため、吐出口15から自然排出される水は、後続のバケット４内に落下することがなく、沈殿槽２の水面からの離脱後の水切網12による自然脱水だけで、バケット４に従来の様な吸引手段を装備しなくても、所望範囲内の含水率を有する沈殿物Ｗを得ることができ、しかも吸引手段にかかるコスト、メンテナンスを要せず、装置５の製造コストの低減及び装置５のメンテナンスにかかる手間を軽減できる。
【００１２】
バケット４の取付け基端10側を構成する三方壁９、9a、10の上端縁を迫り上げ形成したので、バケット４による沈殿物Ｗの掬い後における上方傾斜状態で、下方側となって沈殿物Ｗを受け止めるバケット４の領域（取付け基端10側）を拡張でき、バケット４の傾きが急であっても沈殿物Ｗをバケット４より零さずに脱水でき、無駄なく沈殿物Ｗを排出側へ移送できる。
【００１３】
収容部13の側壁９に開口部16を設けると共に、該開口部16を弾性を有する可撓膜17で閉塞し、可撓膜17の回転軌道上にして、且つ沈殿槽２の水面の上方に可撓膜17を殴打する振動付与装置18を配置したので、振動付与装置18による可撓膜17の殴打によって可撓膜17が収容部13の内外に撓んで振動付与装置18からの衝撃力を確実に収容部13内の沈殿物Ｗに伝え、沈殿物Ｗ全体に振動を付与でき、沈殿物Ｗの土砂粒子を緻密にして効率の良い脱水ができる。
【００１４】
可撓膜17を外方凸面状に設けたので、振動付与装置18で殴打される可撓膜17の撓み量（振幅）を増幅でき、強大な衝撃力を沈殿物Ｗに伝えて激しい振動を付与でき、沈殿物Ｗの土砂粒子を一段と緻密にして脱水率をより向上できる等その実用的効果甚だ大である。
【図面の簡単な説明】
【図１】脱水排出装置の正面断面図である。
【図２】図１の一部省略左側面図である。
【図３】図１の平面図である。
【図４】バケットの要部拡大断面図である。
【図５】振動付与装置の作動状態を示す図であり、（ａ）は打撃部による可撓膜の打撃前状態を示す図、（ｂ）は打撃部による可撓膜の打撃時の状態を示す図である。
【符号の説明】
２      沈殿槽
３      回転軸
４      バケット
９、9a  左右側壁
10      後部壁
12      水切網
13      収容部
14      落下部
15      吐出口
16      開口部
17      可撓膜
18      振動付与装置
Ｗ      沈殿物
【図１】
0003657884.tif 000002
【図２】
0003657884.tif 000003
【図３】
0003657884.tif 000004
【図４】
0003657884.tif 000005
【図５】
0003657884.tif 000006